(57)【特許請求の範囲】
【請求項１】
外部から入力される標準カラー映像信号のカラー映像信号をフィールド間引きする画像信号処理装置において、
第１のフィールドに外部から入力された前記カラー映像信号の色差信号を１フィールド分記憶し、第２のフィールドに記憶した内容を出力するフィールドメモリと、
第２のフィールドに外部から入力される前記カラー映像信号の色差信号と、該色差信号より１フィールド前に前記フィールドメモリに入力され第２のフィールドに前記フィールドメモリから出力される色差信号とを加算平均する加算平均手段と、
第２のフィールドに該加算平均手段から出力される色差信号以外の第１のフィールドの色差信号を間引く第１のフィールド間引き手段と、
外部から入力される前記カラー映像信号の第１のフィールドの輝度信号を間引く第２のフィールド間引き手段とを設け、
１秒間に２ｎフィールドの標準カラー映像信号などのカラー映像信号を入力して、１秒間にｎフレームの輝度信号及び色差信号を生成し、出力することを特徴とする画像信号処理装置。
【請求項２】
外部から入力される標準カラー映像信号のカラー映像信号をフィールド間引きする画像信号処理手段において、
第１のフィールドに外部から入力された前記カラー映像信号の輝度信号及び色差信号を１フィールド分記憶し、第２のフィールドに記憶した内容をそれぞれ出力するフィールドメモリと、
第２のフィールドに外部から入力される前記カラー映像信号の輝度信号と、該輝度信号より１フィールド前に前記フィールドメモリに入力され第２のフィールドに該フィールドメモリから出力される輝度信号とを加算平均する第１の加算平均手段と、
第２のフィールドに外部から入力される前記カラー映像信号の色差信号と、該色差信号より１フィールド前に該フィールドメモリに入力され第２のフィールドに該フィールドメモリから出力される色差信号とを加算平均する第２の加算平均手段と、
第２のフィールドに該第２の加算平均手段から出力される色差信号以外の第１のフィールドの色差信号を間引く第１のフィールド間引き手段と、
第２のフィールドに前記第１の加算平均手段から出力される輝度信号以外の第１のフィールドの輝度信号を間引く第２のフィールド間引き手段とを設け、
１秒間に２ｎフィールドの標準カラー映像信号を入力して、１秒間にｎフレームの輝度信号及び色差信号を生成し、出力することを特徴とする画像信号処理装置。
【請求項３】
撮像装置から入力される標準カラー映像信号のカラー映像信号をフィールド間引きする画像信号処理装置において、
単板式で画像面に分光感度の異なる複数種の色フィルタを備え、標準カラ−映像信号のカラー映像信号を出力する撮像装置と、
第１のフィールドに該撮像装置から入力された色差信号を１フィールド分記憶し、第２のフィールドに記憶した内容を出力するフィールドメモリと、
第２のフィールドに前記撮像装置から入力される色差信号と、該色差信号より１フィールド前に前記フィールドメモリに入力され第２のフィールドに前記フィールドメモリから出力される色差信号とを加算平均する加算平均手段と、
第２のフィールドに該加算平均手段から出力される色差信号以外の第１のフィールドの色差信号を間引く第１のフィールド間引き手段と、
前記撮像装置から出力される前記カラー映像信号の第１のフィールドの輝度信号を間引く第２のフィールド間引き手段とを設け、
撮像装置の出力する１秒間に２ｎフィールドの標準カラー映像信号から、１秒間にｎフレームの輝度信号及び色差信号を生成し、出力することを特徴とする画像信号処理装置。
【請求項４】
撮像装置から入力される標準カラー映像信号のカラー映像信号をフィールド間引きする画像信号処理装置において、
単板式で画像面に分光感度の異なる複数種の色フィルタを備え、標準カラ−映像信号を出力する撮像装置と、
第１のフィールドに該撮像装置から入力される輝度信号及び色差信号を１フィールド分記憶し、第２のフィールドに記憶した内容をそれぞれ出力するフィールドメモリと、
第２のフィールドに前記撮像装置から入力される輝度信号と、該輝度信号より１フィールド前に該撮像装置から入力され第２のフィールドに該フィールドメモリから出力される輝度信号とを加算平均する第１の加算平均手段と、
第２のフィールドに前記撮像装置から入力される色差信号と、該色差信号より１フィールド前に前記撮像装置から入力され第２のフィールドに前記フィールドメモリから出力される色差信号とを加算平均する第２の加算平均手段と、
第２のフィールドに該第２の加算平均手段から出力される色差信号以外の第１のフィールドの色差信号を間引く第１のフィールド間引き手段と、
第２のフィールドに前記第１の加算平均手段から出力される輝度信号以外の第１のフィールドの輝度信号を間引く第２のフィールド間引き手段とを設け、
撮像装置から出力される１秒間に２ｎフィールドの標準カラー映像信号から、１秒間にｎフレームの輝度信号及び色差信号を生成し、出力することを特徴とする画像信号処理装置。
【請求項５】
撮像装置から入力される標準カラー映像信号のカラー映像信号をフィールド間引きする画像信号処理装置において、
単板式で画像面に分光感度の異なる複数種の色フィルタを備え、標準カラ−映像信号を出力する撮像装置と、
第１のフィールドに該撮像装置から入力される色差信号を１フィールド分記憶し、第２のフィールドに記憶した内容を出力するフィールドメモリと、
第２のフィールドに前記撮像装置から入力される色差信号と、該色差信号より１フィールド前に前記撮像装置から入力され第２のフィールドに前記フィールドメモリから出力される色差信号とを加算平均する加算平均手段と、
第２のフィールドに該加算平均手段から出力される色差信号以外の第１のフィールドの色差信号を間引く第１のフィールド間引き手段と、
撮像装置から入力される前記カラー映像信号の第１のフィールドの輝度信号を間引く第２のフィールド間引き手段と、
第１のフィールド間引き手段から出力される信号及び第２のフィールド間引き手段から出力される信号を圧縮符号化に用いる画像フォーマットへ変換するデータ変換手段とを設け、
撮像装置から出力される１秒間に２ｎフィールドの標準カラー映像信号から、１秒間にｎフレームの圧縮符号化に用いられるフォーマットの輝度信号及び色差信号を生成し、出力することを特徴とする画像信号処理装置。
【請求項６】
撮像装置から入力される標準カラー映像信号のカラー映像信号をフィールド間引きする画像信号処理装置において、
単板式で画像面に分光感度の異なる複数種の色フィルタを備え、標準カラ−映像信号を出力する撮像装置と、
第１のフィールドに該撮像装置から入力される輝度信号及び色差信号を１フィールド分記憶し、第２のフィールドに記憶した内容をそれぞれ出力するフィールドメモリと、
第２のフィールドに前記撮像装置から入力される輝度信号と、該輝度信号より１フィールド前に前記撮像装置から入力され第２のフィールドに前記フィールドメモリから出力される輝度信号とを加算平均する第１の加算平均手段と、
第２のフィールドに前記撮像装置から入力される色差信号と、該色差信号より１フィールド前に前記撮像装置から入力され第２のフィールドに前記フィールドメモリから出力される色差信号とを加算平均する第２の加算平均手段と、
第２のフィールドに該第２の加算平均手段から出力される色差信号以外の第１のフィールドの色差信号を間引く第１のフィールド間引き手段と、
第２のフィールドに前記第１の加算平均手段から出力される輝度信号以外の第１のフィールドの輝度信号を間引く第２のフィールド間引き手段と、
第１のフィールド間引き手段から出力される信号及び第２のフィールド間引き手段から出力される信号を圧縮符号化に用いる画像フォーマットへ変換するデータ変換手段とを設け、
撮像装置から出力される１秒間に２ｎフィールドの標準カラー映像信号から、１秒間にｎフレームの圧縮符号化に用いられるフォーマットの輝度信号及び色差信号を生成し、出力することを特徴とする画像信号処理装置。
【請求項７】
撮像装置から入力される標準カラー映像信号のカラー映像信号をフィールド間引きする画像信号処理装置において、
画像面に分光感度の異なる複数種の色フィルタが配列され、第１の色に対する色フィルタと第２の色に対する色フィルタとが水平方向に交互に配列されてなる第１の水平色フィルタ列と、第３の色に対する色フィルタと第４の色に対する色フィルタとが水平方向に交互に配列されてなる第２の水平色フィルタ列と、第１の水平色フィルタ列信号の第１の色に対する色フィルタと第２の色に対する色フィルタとが空間的に位相が１８０°異なって配列されてなる第３の水平色フィルタ列と、第２の水平色フィルタ列と同一の第４の水平色フィルタ列が順次垂直方向に繰り返し配列され、第１のフィールドでは第１と第３の水平色フィルタ列に対応した色信号を１水平走査期間（１Ｈ）毎に水平方向に連続して出力して、第２のフィールドでは第２と第４の水平色フィルタ列に対応した色信号を、１水平走査期間毎に水平方向に連続して出力する撮像部を備えた撮像装置と、
撮像部の露光を制御する露光制御手段と、
第１のフィールドに前記撮像部から入力される信号を１フィールド分記憶し、第２のフィールドに該記憶した内容を出力するフィールドメモリと、
前記撮像部から出力される信号を１水平期間遅延させる１Ｈ遅延回路をｉ個（ｉは１以上の整数）用いて、１Ｈ遅延信号、２Ｈ遅延信号、…ｉＨ遅延信号のｉ個の遅延信号を生成する第１の遅延手段と、
前記フィールドメモリから出力される信号を１水平期間遅延させる１Ｈ遅延回路をｊ個（ｊは１以上の整数）用いて、１Ｈ遅延信号、２Ｈ遅延信号、…ｊＨ遅延信号のｊ個の遅延信号を生成する第２の遅延手段とを設け、
前記撮像部から入力される信号と、前記フィールドメモリから出力される信号と、第１の遅延手段から出力される前記ｉ個の遅延信号と、第２の遅延手段から出力される前記ｊ個の遅延信号とを、同時化して、撮像部から出力される１秒間に２ｎフィールドの信号から、輝度マトリクス処理、エンハンサ処理、ガンマ補正、ＲＧＢマトリクス、ホワイトバランス補正等の公知の処理を施し、１秒間にｎフレ−ムの輝度信号及び色差信号を生成し、出力することを特徴とする画像信号処理装置。
【請求項８】
撮像装置から入力される標準カラー映像信号のカラー映像信号をフィールド間引きする画像信号処理装置において、
画像面に分光感度の異なる複数種の色フィルタが配列され、第１の色に対する色フィルタと第２の色に対する色フィルタとが水平方向に交互に配列されてなる第１の水平色フィルタ列と、第３の色に対する色フィルタと第４の色に対する色フィルタとが水平方向に交互に配列されてなる第２の水平色フィルタ列と、第１の水平色フィルタ列信号の第１の色に対する色フィルタと第２の色に対する色フィルタとが空間的に位相が１８０°異なって配列されてなる第３の水平色フィルタ列と、第２の水平色フィルタ列と同一の第４の水平色フィルタ列が順次垂直方向に繰り返し配列され、第１のフィールドでは第１と第３の水平色フィルタ列に対応した色信号を１水平走査期間（１Ｈ）毎に水平方向に連続して出力して、第２のフィールドでは第２と第４の水平色フィルタ列に対応した色信号を、１水平走査期間（１Ｈ）毎に水平方向に連続して出力する撮像部を備えた撮像装置と、
撮像部の露光を制御する露光制御手段と、
第１のフィールドに前記撮像部から入力される信号を１フィールド分記憶し、第２のフィールドに前記記憶した内容を出力するフィールドメモリと、
前記撮像部から入力される信号を１水平走査期間遅延させる１Ｈ遅延回路をｉ個（ｉは１以上の整数）用いて、１Ｈ遅延信号、２Ｈ遅延信号、…ｉＨ遅延信号のｉ個の遅延信号を生成する第１の遅延手段と、
前記フィールドメモリから入力される信号を１水平走査期間遅延させる１Ｈ遅延回路をｊ個（ｊは１以上の整数）用いて、１Ｈ遅延信号、２Ｈ遅延信号、…ｊＨ遅延信号のｊ個の遅延信号を生成する第２の遅延手段と、
撮像部から出力される信号（あるいは撮像部から出力される信号に輝度マトリクス処理、エンハンサ処理、ガンマ補正、ＲＧＢマトリクス、ホワイトバランス補正等の公知の処理を施し生成される輝度信号及び色差信号）を圧縮符号化に用いるフォーマットへ変換するデータ変換手段とを設け、
前記撮像部から入力される信号と、前記フィールドメモリから出力される信号と、第１の遅延手段から出力される前記ｉ個の遅延信号と、第２の遅延手段から出力される前記ｊ個の遅延信号とを、同時化して、撮像部から出力される１秒間に２ｎフィールドの信号から、輝度マトリクス処理、エンハンサ処理、ガンマ補正、ＲＧＢマトリクス、ホワイトバランス補正等の公知の処理を施し、１秒間にｎフレ−ムの圧縮符号化に用いられるフォーマットの輝度信号及び色差信号を生成し、出力することを特徴とする画像信号処理装置。
【発明の詳細な説明】
【０００１】
【産業上の利用分野】
本発明は、入力された信号のピクチャーレートを半分にし、出力する画像信号処理装置に係り、特に、撮像装置及び画像圧縮装置を具備する画像信号処理装置に関する。
【０００２】
【従来の技術】
近年、映像信号のディジタル化技術が進み、動画像の高能率符号化が行われるようになってきている。例えば、動画像の高能率符号化方式として蓄積メディア用の符号化標準規格であるＭＰＥＧ（Moving Picture Experts Group）や、テレビ電話等、通信用の符号化標準規格であるＣＣＩＴＴのＨ．２６１等が、挙げられる。これらの規格に用いられる中間フォ−マットの輝度信号及び色差信号は、例えば、ＩＳＯ／ＩＥＣ，１１１７２−２，Ｐ５７〜Ｐ６０に記載されている様に、奇数（ｏｄｄ）フィ−ルドあるいは偶数（ｅｖｅｎ）フィ−ルドのいずれか一方のみを用いていた。
【０００３】
【発明が解決しようとする課題】
しかし、画素混合方式撮像素子を備えた撮像装置で上記手法を行なうと色モアレが発生する。これは、例えば、テレビ学技報ＶＯＬ．１３，ＮＯ．１１のＰ４９〜Ｐ５４に記載されている様に、水平２ライン間の演算によって色差信号を生成することに起因している。すなわち、水平２ライン間の演算によって色差信号を生成すると、フィ−ルド毎に位相が１８０°反転するフリッカ状の色モアレが発生する。通常このフリッカ状の色モアレはインタ−レ−スを行なうことで積分効果により打ち消し合い、視覚上あまり目立たなくなっていた。しかし、符号化を高能率に処理するために上記手法のように１フィ−ルド間引くと、フィールド間の打ち消し効果がなくなることによって、色モアレが発生する。
【０００４】
本発明は、上記問題点を解決し、色モアレを低減する画像信号処理装置を提供することを目的とする。
【０００５】
【課題を解決するための手段】
上記課題を解決するため、この出願の発明は、フィールド間引きをする画像信号処理装置において、外部からカラー映像信号を入力して、第１のフィールド（あるいは第２のフィールド）に外部から入力した該カラー映像信号の色差信号を１フィ−ルド分記憶し、記憶した内容を第２のフィールド（あるいは第１のフィールド）に出力するフィ−ルドメモリと、第２のフィールド（あるいは第１のフィールド）に外部から入力されたカラー映像信号の色差信号と、該色差信号より１フィ−ルド前に前記フィールドメモリに入力され第２のフィールド（あるいは第１のフィールド）に該フィ−ルドメモリから出力される色差信号とを加算平均する加算平均手段と、第２のフィールド（あるいは第１のフィールド）に該加算平均手段から出力され色差信号以外の第１のフィールド（あるいは第２のフィールド）の色差信号を間引く第１のフィールド間引き手段と、外部から入力される前記カラー映像信号の第１のフィールド（あるいは第２のフィールド）の輝度信号を間引く第２のフィールド間引き手段とを設け、１秒間に２ｎフィ−ルドの標準カラー映像信号などのカラー映像信号を入力して１秒間にｎフレームの輝度信号及び色差信号を生成するように構成する。
【０００６】
第２の発明では、フィールド間引きする画像処理装置において、外部からカラー映像信号を入力して、第１のフィールド（あるいは第２のフィールド）に外部から入力されたカラー映像信号の輝度信号及び色差信号を１フィ−ルド分記憶し、記憶した内容を第２のフィールド（あるいは第１のフィールド）に出力するフィ−ルドメモリと、第２のフィールド（あるいは第１のフィールド）に外部から入力されるカラー映像信号の輝度信号と、該輝度信号より１フィ−ルド前に該フィールドメモリに入力され第２のフィールドにフィ−ルドメモリから出力される輝度信号とを加算平均する第１の加算平均手段と、第２のフィールド（あるいは第１のフィールド）に外部から入力されるカラー映像信号の色差信号と、該色差信号より１フィ−ルド前に該フィールドメモリに入力され第２のフィールド（あるいは第１のフィールド）に該フィ−ルドメモリから出力される色差信号とを加算平均する第２の加算平均手段と、第２のフィールド（あるいは第１のフィールド）に該第２の加算平均手段から出力される色差信号以外の第１のフィールド（あるいは第２のフィールド）の色差信号を間引く第１のフィールド間引き手段と、第２のフィールド（あるいは第１のフィールド）に該第１の加算平均手段から出力される輝度信号以外の第１のフィールド（あるいは第２のフィールド）の輝度信号を間引く第２のフィールド間引き手段とを設け、１秒間に２ｎフィ−ルドの標準カラー映像信号を入力して１秒間にｎフレームの輝度信号及び色差信号を生成するように構成する。
【０００７】
第３の発明では、フィールド間引きする画像処理装置において、単板式で画像面に分光感度の異なる複数種の色フィルタを備え、標準カラ−映像信号を出力する撮像装置と、第１の発明と同じ手段とを用いて撮像装置から出力される１秒間に２ｎフィールドの標準カラー映像信号から１秒間にｎフレームの輝度信号及び色差信号を生成するように構成する。
【０００８】
第４の発明では、フィールド間引きする画像処理装置において、単板式で画像面に分光感度の異なる複数種の色フィルタを備え、標準カラ−映像信号を出力する撮像装置と、第２の発明と同じ手段とを用いて撮像装置から出力される１秒間に２ｎフィールドの標準カラー映像信号から１秒間にｎフレームの輝度信号及び色差信号を生成するように構成する。
【０００９】
第５の発明では、フィールド間引きする画像処理装置において、入力される信号を圧縮符号化に用いるフォーマットへ変換するデータ変換手段と、第３の発明と同じ手段とを用いて撮像装置から出力される１秒間に２ｎフィールドの標準カラー映像信号から１秒間にｎフレームの圧縮符号化に用いるフォーマットの輝度信号及び色差信号を生成するように構成する。
【００１０】
第６の発明では、フィールド間引きする画像処理装置において、入力される信号を圧縮符号化に用いるフォーマットへ変換するデータ変換手段と、第４の発明と同じ手段とを用いて撮像装置から出力される１秒間に２ｎフィールドの標準カラー映像信号から１秒間にｎフレームの圧縮符号化に用いるフォーマットの輝度信号及び色差信号を生成するように構成する。
【００１１】
第７の発明では、フィールド間引きする画像処理装置において、画像面に分光感度の異なる複数種の色フィルタが配列され、第１の色に対する色フィルタと第２の色に対する色フィルタとが水平方向に交互に配列されてなる第１の水平色フィルタ列と、第３の色に対する色フィルタと第４の色に対する色フィルタとが水平方向に交互に配列されてなる第２の水平色フィルタ列と、第１の水平色フィルタ列信号の第１の色に対する色フィルタと第２の色に対する色フィルタとが空間的に位相が１８０°異なって配列されてなる第３の水平色フィルタ列と、第２の水平色フィルタ列と同一の第４の水平色フィルタ列が順次垂直方向に繰り返し配列され、第１のフィ−ルド（あるいは第２フィールド）では第１と第３の水平色フィルタ列に対応した色信号を１Ｈ（１Ｈ：１水平走査期間）毎に水平方向に連続して出力して、第２のフィ−ルド（あるいは第１のフィールド）では第２と第４の水平色フィルタ列に対応した色信号を、１Ｈ毎に水平方向に連続して出力する撮像部を備えた撮像装置を具備し、撮像部の露光を制御する露光制御手段と、第１のフィ−ルド（あるいは第２のフィ−ルド）に該撮像部から出力される信号を１フィ−ルド分記憶し、第２のフィールド（あるいは第１のフィールド）で該記憶した内容を出力するフィ−ルドメモリと、該撮像部から出力される信号を１Ｈ遅延回路をｉ個（ｉは１以上の整数）用いて、１Ｈ遅延信号、２Ｈ遅延信号、…ｉＨ遅延信号とｉ個の遅延信号を生成する第１の遅延手段と、該フィールドメモリから出力される信号を１Ｈ遅延回路をｊ個（ｊは１以上の整数）用いて、１Ｈ遅延信号、２Ｈ遅延信号、…ｊＨ遅延信号とｊ個の遅延信号を生成する第２の遅延手段とを設け、該撮像部から出力される信号と、該フィ−ルドメモリから出力される信号と、第１の遅延手段から出力されるｉ個の遅延信号と、第２の遅延手段から出力されるｊ個の遅延信号とを、同時化して、撮像部から出力される１秒間に２ｎフィ−ルドの信号から、輝度マトリクス処理、エンハンサ処理、ガンマ補正、ＲＧＢマトリクス、ホワイトバランス補正等の公知の処理を施し、１秒間にｎフレ−ムの輝度信号及び色差信号を生成するように構成する。
【００１２】
第８の発明では、入力される信号を圧縮符号化に用いるフォーマットへ変換するデータ変換手段と、第７の発明と同じ手段とを用いて撮像部から出力される１秒間に２ｎフィールドの信号から１秒間にｎフレームの圧縮符号化に用いるフォーマットの輝度信号及び色差信号を生成するように構成する。
【００１３】
第１の発明では、入力する２ｎフィールドの標準カラー映像信号の内、第１のフィールド（あるいは第２のフィールド）に入力する色差信号はフィールドメモリに記憶し、第２のフィールド（あるいは第１のフィールド）に入力する色差信号と同時化するように出力する。フィールドメモリから出力される色差信号と、第２のフィールド（あるいは第１のフィールド）に撮像装置から出力される色差信号とを加算平均しｎフレームの色差信号を出力する。その結果、フィ−ルド毎に位相が１８０°反転するフリッカ状の色モアレを打ち消し合い、従来方式に比べて色モアレは低減する。
【００１４】
第２の発明では、入力する２ｎフィールドの標準カラー映像信号の内、第１のフィールド（あるいは第２のフィールド）に入力する輝度信号及び色差信号はフィールドメモリに記憶し、第２のフィールド（あるいは第１のフィールド）に入力する輝度信号及び色差信号と同時化するように出力する。フィールドメモリから出力される輝度信号及び色差信号と、第２のフィールド（あるいは第１のフィールド）に入力する輝度信号及び色差信号とを加算平均しｎフレームの輝度信号及び色差信号を出力する。その結果、色差信号を加算平均することでフィ−ルド毎に位相が１８０°反転するフリッカ状の色モアレを打ち消し合い、従来方式に比べて色モアレは低減し、輝度信号を加算平均することで時間方向に対して滑らかな画像を実現する。
【００１５】
第３の発明では、撮像装置から出力される２ｎフィールドの標準カラー映像信号の内、第１のフィールド（あるいは第２のフィールド）に出力する色差信号はフィールドメモリに記憶し、第２のフィールド（あるいは第１のフィールド）に出力する色差信号と同時化するように出力する。フィールドメモリから出力される色差信号と、第２のフィールド（あるいは第１のフィールド）に撮像装置から出力される色差信号とを加算平均しｎフレームの色差信号を出力する。その結果、フィ−ルド毎に位相が１８０°反転するフリッカ状の色モアレを打ち消し合い、従来方式に比べて色モアレは低減する。
【００１６】
第４の発明では、撮像装置から出力される２ｎフィールドの標準カラー映像信号の内、第１のフィールド（あるいは第２のフィールド）に出力する輝度信号及び色差信号はフィールドメモリに記憶し、第２のフィールド（あるいは第１のフィールド）に出力する輝度信号及び色差信号と同時化するように出力する。フィールドメモリから出力される輝度信号及び色差信号と、第２のフィールド（あるいは第１のフィールド）に撮像装置から出力される輝度信号及び色差信号とを加算平均しｎフレームの輝度信号及び色差信号を出力する。その結果、色差信号を加算平均することでフィ−ルド毎に位相が１８０°反転するフリッカ状の色モアレを打ち消し合い、従来方式に比べて色モアレは低減し、輝度信号を加算平均することで時間方向に対して滑らかな画像を実現する。
【００１７】
第５の発明では、撮像装置から出力される２ｎフィールドの標準カラー映像信号の内、第１のフィールド（あるいは第２のフィールド）に出力する色差信号はフィールドメモリに記憶し、第２のフィールド（あるいは第１のフィールド）に出力する色差信号と同時化するように出力する。フィールドメモリから出力される色差信号と、第２のフィールド（あるいは第１のフィールド）に撮像装置から出力される色差信号とを加算平均しｎフレームの色差信号を出力する。フィールド間引きされた輝度信号及び加算平均された色差信号をデータ変換回路により圧縮符号化に用いる中間フォーマットに変換し、出力する。その結果、フィ−ルド毎に位相が１８０°反転するフリッカ状の色モアレを打ち消し合い、従来方式に比べて色モアレを低減した圧縮符号化に用いる中間フォーマットを生成できる。
【００１８】
第６の発明では、撮像装置から出力される２ｎフィールドの標準カラー映像信号の内、第１のフィールド（あるいは第２のフィールド）に出力する輝度信号及び色差信号はフィールドメモリに記憶し、第２のフィールド（あるいは第１のフィールド）に出力する輝度信号及び色差信号と同時化するように出力する。フィールドメモリから出力される輝度信号及び色差信号と、第２のフィールド（あるいは第１のフィールド）に撮像装置から出力される輝度信号及び色差信号とを加算平均しｎフレームの輝度信号及び色差信号を出力する。生成された輝度信号及び色差信号をデータ変換回路により圧縮符号化に用いる中間フォーマットに変換し、出力する。その結果、色差信号を加算平均することでフィ−ルド毎に位相が１８０°反転するフリッカ状の色モアレを打ち消し合い、従来方式に比べて色モアレは低減し、輝度信号を加算平均することで時間方向に対して滑らかな圧縮符号化に用いる中間フォーマットを生成できる。
【００１９】
第７の発明では、分光感度の異なる複数の色フィルタが配列され、第１の色に対する色フィルタと第２の色に対する色フィルタとが水平方向に交互に配列されてなる第１の水平色フィルタ列と、第３の色に対する色フィルタと第４の色に対する色フィルタとが水平方向に交互に配列されてなる第２の水平色フィルタ列と、第１の水平色フィルタ列信号の第１の色に対する色フィルタと第２の色に対する色フィルタとが空間的に位相が１８０°異なって配列されてなる第３の水平色フィルタ列と、第２の水平色フィルタ列と同一の第４の水平色フィルタ列が順次垂直方向に繰り返し配列されて成る撮像装置を具備し、第１のフィールド（あるいは第２のフィールド）で画像面に露光して電荷を蓄え、第２のフィールド（あるいは第１のフィールド）ではシャッタを閉じて露光しないようする。第２のフィールド（あるいは第１のフィールド）では、第１のフィールド（あるいは第２のフィールド）で蓄えられた電荷をレジスタにシフトし、レジスタにシフトされた電荷の内、第２と第４の水平色フィルタ列に対応した色信号を画素混合しないで１Ｈ毎に水平列方向に連続して出力する。第１のフィールド（第２のフィールド）では、１フィールド前にレジスタにシフトされた電荷の内、第１と第３の水平色フィルタ列に対応した色信号を画素混合しないで１Ｈ毎に水平列方向に連続して出力する。そして、第１のフィールド（第２のフィールド）に該撮像装置から出力される信号はフレームメモリに記憶させ、第２のフィールド（第１のフィールド）に該撮像装置から出力される信号と同時化するように読み出す。該撮像装置から出力される信号を１Ｈ遅延回路をｉ個（ｉは１以上の整数）用いて１Ｈ遅延信号、２Ｈ遅延信号、…ｉＨ遅延信号を出力する第１の遅延手段を設け、ｉ個の遅延信号を生成し、同様にフィールドメモリから出力される信号を１Ｈ遅延回路をｊ個（ｊは１以上の整数）用いて、１Ｈ遅延信号、２Ｈ遅延信号、…ｊＨ遅延信号を出力する第２の遅延手段を設け、ｊ個の遅延信号を生成する。上記のように複数の水平走査ラインを同時化して信号処理回路に入力し、輝度マトリクス処理、エンハンサ処理、ガンマ補正、ＲＧＢマトリクス処理、ホワイトバランス補正等の公知の処理を施し、輝度信号及び色差信号を生成する。その結果、複数の水平走査ラインで色信号を生成するため従来方式に比べ色モアレは低減する。
【００２０】
第８の発明では、分光感度の異なる複数の色フィルタが配列され、第１の色に対する色フィルタと第２の色に対する色フィルタとが水平方向に交互に配列されてなる第１の水平色フィルタ列と、第３の色に対する色フィルタと第４の色に対する色フィルタとが水平方向に交互に配列されてなる第２の水平色フィルタ列と、第１の水平色フィルタ列信号の第１の色に対する色フィルタと第２の色に対する色フィルタとが空間的に位相が１８０°異なって配列されてなる第３の水平色フィルタ列と、第２の水平色フィルタ列と同一の第４の水平色フィルタ列が順次垂直方向に繰り返し配列されて成る撮像装置を具備し、第１のフィールド（あるいは第２のフィールド）で画像面に露光して電荷を蓄え、第２のフィールド（あるいは第１のフィールド）ではシャッタを閉じて露光しないようする。第２のフィールド（あるいは第１のフィールド）では、第１のフィールド（あるいは第２のフィールド）で蓄えられた電荷をレジスタにシフトし、レジスタにシフトされた電荷の内、第２と第４の水平色フィルタ列に対応した色信号を画素混合しないで１Ｈ毎に水平列方向に連続して出力する。第１のフィールド（第２のフィールド）では、１フィールド前にレジスタにシフトされた電荷の内、第１と第３の水平色フィルタ列に対応した色信号を画素混合しないで１Ｈ毎に水平列方向に連続して出力する。そして、第１のフィールド（第２のフィールド）に該撮像装置から出力される信号はフレームメモリに記憶させ、第２のフィールド（第１のフィールド）に該撮像装置から出力される信号と同時化するように読み出す。該撮像装置から出力される信号を１Ｈ遅延回路をｉ個（ｉは１以上の整数）用いて１Ｈ遅延信号、２Ｈ遅延信号、…ｉＨ遅延信号を出力する第１の遅延手段を設け、ｉ個の遅延信号を生成し、同様にフィールドメモリから出力される信号を１Ｈ遅延回路をｊ個（ｊは１以上の整数）用いて、１Ｈ遅延信号、２Ｈ遅延信号、…ｊＨ遅延信号を出力する第２の遅延手段を設け、ｊ個の遅延信号を生成する。上記のように複数の水平走査ラインを同時化して信号処理回路に入力し、輝度マトリクス処理、エンハンサ処理、ガンマ補正、ＲＧＢマトリクス処理、ホワイトバランス補正等の公知の処理を施し、輝度信号及び色差信号を生成する。生成された輝度信号及び色差信号をデータ変換回路により圧縮符号化に用いる中間フォーマットに変換し、出力する。その結果、複数の水平走査ラインで色信号を生成するため従来方式に比べ色モアレは低減する。
【００２１】
【発明の実施の形態】
以下、本発明に係る画像信号処理装置の第１の実施の形態を図面を用いて説明する。図１は、本発明に係る画像信号処理装置の第１の実施の形態を示すブロック構成図である。この画像信号処理装置１００は、Ａ／Ｄ変換器２と、Ｙ／Ｃ分離回路４６と、色差信号処理手段８０と、輝度信号処理手段９０と、フィールド間引き回路１０とを有している。Ａ／Ｄ変換器２は入力するアナログ信号をディタル信号に変換する。Ｙ／Ｃ分離回路４６は入力された標準カラー映像信号を輝度信号と色差信号に分離する。色差信号処理手段８０は、メモリコントロ−ル回路４と、フィールドメモリ５と、加算器６と、除算器７とを有している。メモリコントロ−ル回路４は、フィールドメモリ５への書込みおよび読出しを制御する。加算器６は、Ｙ／Ｃ分離回路４６の出力する原信号とフィールドメモリ５の出力する１フィールド遅延した信号とを加算する。除算器７は、加算器６の出力する信号レベルを１／２にする。輝度信号処理手段９０は、ＡフィールドあるいはＢフィールドのいずれか一方のみの輝度信号を出力するフィールド間引き回路９からなる。同様に、フィールド間引き回路１０は、ＡフィールドあるいはＢフィールドのいずれか一方のみの色差信号を出力する。
【００２２】
以上の構成を有する画像信号処理手段１００は、Ｙ／Ｃ分離回路４６の出力する輝度信号Ｙおよび色差信号Ｃを図２に示すように処理する。すなわち、Ａフィ−ルドおよびＢフィ−ルドからなる輝度信号Ｙは、フィールド間引き回路９において、いずれか一方のフィールドの輝度信号、例えば、Ａフィ−ルド（あるいはＢフィ−ルド）のＹ11，Ｙ12，Ｙ13，…，Ｙmn（m＝1，3，5，…  n＝1，2，3，…）を用いてＳy1，Ｓy2，…，Ｓynラインの輝度信号を生成する。一方、Ｙ／Ｃ分離回路４６から出力された色差信号Ｃは、まず、例えばＡフィールド（あるいはＢフィ−ルド）にＹ／Ｃ分離回路４６から出力されるＣ11，Ｃ12，Ｃ13，…，Ｃmnから成るＡフィールドライン信号がフィールドメモリ５に記憶される。次いで、フィールドメモリ５に記憶されたフィールド（Ａフィールド）とは異なるフィールドであるＢフィールドにＹ／Ｃ分離回路４６から出力されるＣ（m＋1）1，Ｃ（m＋1）2，Ｃ（m＋3）3，…，Ｃ（m＋1）nから成るＢフィールドライン信号（原信号）が加算器６に入力される。このＢフィールドライン信号が加算器６に入力されるのと同時に、フィールドメモリ５に記憶されたＡフィールドライン信号が１フィールド分遅延して読み出され加算器６に入力される。加算器６で加算されたライン信号は、除算器７において下記（１）〜（３）式を用いてＡフィ−ルドの水平画素とＢフィ−ルドの水平画素からＡフィールドとＢフィールドの各水平画素毎に加算平均化されたＳc1、Ｓc2、Ｓc3、…Ｓcnラインの色差信号Ｓcを生成する。
【００２３】
【数１】
0003658430.tif 000002
【００２４】
フィールド間引き回路１０は、このようにＢフィールド（あるいはＡフィールド）に生成された色差信号Ｃのみを出力し、Ａフィールド（あるいはＢフィールド）の色差信号Ｃを間引く。
【００２５】
以上説明したように、この実施の形態によれば、Ａフィ−ルドとＢフィ−ルドの２フィ−ルドから色差信号を加算平均するので、フィ−ルド毎に位相が１８０°反転するフリッカ状の色モアレを打ち消し合い、従来方式に比べて画素混合撮像素子に起因する色モアレを低減することができる。
【００２６】
図３は、本発明に係る画像信号処理装置１０１の第２の実施の形態の構成を示すブロック図である。この実施の形態では、画像信号処理装置１０１は、Ａ／Ｄ変換器２と、Ｙ／Ｃ分離回路４６と、メモリコントロール回路２１と、輝度信号処理手段９１と、色差信号処理手段８１と、フィールド間引き回路２８，２９とを有している。
輝度信号処理手段９１は、フィ−ルドメモリ２２と、加算器２４と、除算器２６とを有している。同様に色差信号処理手段８１は、フィ−ルドメモリ２３と、加算器２５と、除算器２７とを有している。メモリコントロ−ル回路２１は、フィ−ルドメモリ２２，２３へのライン信号の書込みおよび読出しを制御する。
輝度信号処理回路９１の加算器２４は、Ｙ／Ｃ分離回路４６の出力する原輝度信号とフィ−ルドメモリ２２の出力する１フィールド遅延した輝度信号とを加算する。除算器２６は、加算器２４の出力する輝度信号信号レベルを１／２に除算し平均化する。フィールド間引き回路２８は、Ａフィ−ルドあるいはＢフィ−ルドのいずれか一方のみを出力して輝度信号をフィ−ルド間引する。
色差信号処理回路８１の加算器２５は、それぞれＹ／Ｃ分離回路４６の出力する原色差信号とフィ−ルドメモリ２３の出力する１フィールド遅延した色差信号とを加算する。除算器２７は、加算器２５の出力する信号レベルを１／２に除算し平均化する。フィールド間引き回路２９は、Ａフィ−ルドあるいはＢフィ−ルドのいずれか一方のみを出力して色差信号をフィ−ルド間引きする。
【００２７】
以上の構成を有する画像信号処理装置１０１は、Ｙ／Ｃ分離回路４６の出力する輝度信号Ｙおよび色差信号Ｃを図４に示すように処理する。すなわち、Ｙ／Ｃ分離回路４６から出力された輝度信号Ｙは、まず、例えばＡフィールドの期間にＹ／Ｃ分離回路４６から出力されるＹ11，Ｙ12，Ｙ13，…，Ｙ1n，Ｙ31，Ｙ32，Ｙ33，…，Ｙmnから成るＡフィールドライン信号がフィールドメモリ２２に記憶され、次いで、Ｂフィールドの期間にＹ／Ｃ分離回路４６から出力されるＹ（m＋1）1，Ｙ（m＋1）2，Ｙ（m＋1）3，…，Ｙ（m＋1）nから成るＢフィールドライン信号（原信号）が加算器２４に入力される。このＢフィールドライン信号が加算器２４に入力されるのと同時に、フィールドメモリ２２に記憶されたＡフィールドライン信号が１フィールド分遅延して読み出され加算器２４に入力される。加算器２４で加算されたライン信号は、除算器２６において下記（４）〜（６）式を用いてＡフィ−ルドの水平画素とＢフィ−ルドの水平画素からＡフィールドとＢフィールドの各水平画素毎に加算平均化されたＳy11、Ｓy12、Ｓy13、…，Ｓymnラインの水平列輝度信号Ｓyを生成する。フィールド間引き回路２８は、このようにＢフィールド（あるいはＡフィールド）に生成された水平列輝度信号のみを出力し、Ａフィールド（あるいはＢフィールド）の水平列輝度信号を間引いて出力する。
【００２８】
【数２】
0003658430.tif 000003
【００２９】
一方、Ｙ／Ｃ分離回路４６から出力された色差信号Ｃは、第１の実施の形態と同様に、例えばＡフィールドにＹ／Ｃ分離回路４６から出力されるＣ11，Ｃ12，Ｃ13，…，Ｃmnから成るＡフィールドライン信号がフィールドメモリ２３に記憶され、次いで、ＢフィールドにＹ／Ｃ分離回路４６から出力されるＣ（m＋1）1，Ｃ（m＋1）2，Ｃ（m＋3）3，…，Ｃ（m＋1）nから成るＢフィールドライン信号（原信号）が加算器２５に入力される。このＢフィールドライン信号が加算器２５に入力されるのと同時に、フィールドメモリ２３に記憶されたＡフィールドライン信号が１フィールド分遅延して読み出され加算器２５に入力される。加算器２５で加算されたライン信号は、除算器２７において前記（１）〜（３）式を用いてＡフィ−ルドの水平画素とＢフィ−ルドの水平画素からＡフィールドとＢフィールドの各水平画素毎に加算平均化されたＳc1、Ｓc2、Ｓc3、…Ｓcnラインの水平列色差信号Ｓcを生成する。フィールド間引き回路２９は、このようにＢフィールド（あるいはＡフィールド）に生成された水平列色差信号のみを出力し、Ａフィールド（あるいはＢフィールド）の水平列色差信号を間引くことができる。
【００３０】
以上説明したように、この実施の形態によれば、Ａフィ−ルドとＢフィ−ルドの２フィ−ルドから色差信号を加算平均しているので、フィ−ルド毎に位相が１８０°反転するフリッカ状の色モアレを打ち消し合い、従来方式に比べて画素混合撮像素子に起因する色モアレを低減することができ、さらに、輝度信号についても加算平均しているので時間方向に滑らかな画像を実現することができる。
【００３１】
【実施例】
図５は、本発明の第１の実施の形態に係る画像信号処理回路１００を撮像装置に用いた第１の実施例の構成を示すブロック図である。この実施例は、第１の実施の態様に示した画像信号処理回路１００の前に撮像装置１を具備したものであり、上記第１の実施の形態で述べたように動作して、撮像装置１の出力する１秒間に２ｎフィールドの標準カラー映像信号を、１秒間にｎフレームの輝度信号および色差信号に処理生成する。
【００３２】
この実施例に使用される撮像装置１は、単板式で画像面に分光感度の異なる複数種の色フィルタを備え、標準カラ−映像信号などのカラー映像信号を出力するように構成された撮像装置である。
【００３３】
本実施例によれば、Ａフィ−ルドとＢフィ−ルドの２フィ−ルドから色差信号を加算平均するので、フィ−ルド毎に位相が１８０°反転するフリッカ状の色モアレを打ち消し合い、従来方式に比べて画素混合撮像素子に起因する色モアレを低減することができる。
【００３４】
図６は、本発明の第２の実施の形態に係る画像信号処理回路１０１を撮像装置に用いた第２の実施例を示すブロック図で、第２の実施の形態に示した画像信号処理回路１０１の前に撮像装置１を具備したものであり、上記第２の実施の形態で述べたように動作し、撮像装置１の出力する１秒間に２ｎフィールドの標準カラー映像信号を１秒間にｎフレームの輝度信号および色差信号に処理生成する。本実施例によれば、Ａフィ−ルドとＢフィ−ルドの２フィ−ルドから色差信号を加算平均するので、フィ−ルド毎に位相が１８０°反転するフリッカ状の色モアレを打ち消し合い、従来方式に比べて画素混合撮像素子に起因する色モアレを低減させることができ、さらに、輝度信号を加算平均しているので時間方向に滑らかな画像を実現することができる。
【００３５】
図７は、本発明の第３の実施例を示すブロック図で、第１の実施例に示した画像信号処理回路１００の後に、入力信号を画像圧縮に用いる中間フォーマットに変換するデータ変換器４５を具備した例である。この画像信号処理回路１００は、撮像装置１からの標準カラー映像信号を上記第１の実施例で述べたように動作してフィールド間引きし、データ変換器４５へ出力する。データ変換器４５は、フィールド間引きされた輝度信号および色差信号を、圧縮符号化に用いられる中間フォーマットの輝度信号および色差信号に変換して出力する。本実施例によれば、光信号から圧縮符号化に用いる輝度信号および色差信号を生成することができる。
【００３６】
図８は、本発明の第４の実施例を示すブロック図で、第２の実施例に示した画像信号処理回路１０１の後に入力信号を画像圧縮に用いる中間フォーマットに変換するデータ変換器４５を具備した例である。この画像信号処理回路１０１は、撮像装置１からの標準カラー映像信号を上記第２の実施例で述べたように動作してフィールド間引きし、データ変換器４５へ出力する。データ変換器４５は、フィールド間引きされた輝度信号および色差信号を、圧縮符号化に用いられる中間フォーマットの輝度信号および色差信号に変換して出力する。本実施例によれば、光信号から時間方向に滑らかな圧縮符号化に用いる輝度信号および色差信号を生成することができる。
【００３７】
図９は、本発明の第５の実施例に係る撮像装置の構成を示すブロック図である。この撮像装置は、レンズ３１とシャッタ３２と撮像素子を用いた撮像部４７からなる撮像装置１と、Ａ／Ｄ変換器２と、フィールドメモリ３３と１Ｈ遅延回路３４，３５，３６とメモリコントロール回路３７とからなる画像信号処理回路１０２と、信号処理回路３９と、撮像素子駆動パルス発生回路３８と、アイリス制御回路４０とから構成される。
【００３８】
この撮像部４７は、画像面に分光感度の異なる複数種の色フィルタが配列され、第１の色に対する色フィルタと第２の色に対する色フィルタとが水平方向に交互に配列されてなる第１の水平色フィルタ列と、第３の色に対する色フィルタと第４の色に対する色フィルタとが水平方向に交互に配列されてなる第２の水平色フィルタ列と、第１の水平色フィルタ列信号の第１の色に対する色フィルタと第２の色に対する色フィルタとが空間的に位相が１８０°異なって配列されてなる第３の水平色フィルタ列と、第２の水平色フィルタ列と同一の第４の水平色フィルタ列が順次垂直方向に繰り返し配列され、第１のフィ−ルド（あるいは第２フィールド）では第１と第３の水平色フィルタ列に対応した色信号を１水平走査期間（１Ｈ）毎に水平方向に連続して出力して、第２のフィ−ルド（あるいは第１のフィールド）では第２と第４の水平色フィルタ列に対応した色信号を、１水平走査期間毎に水平方向に連続して出力する撮像部である。
【００３９】
シャッタ３２は、アイリス制御回路４０で発生するシャッタ開閉制御パルス４４によって開閉を制御される。シャッタ３２によって露光を制御された光信号は、撮像素子４７で電気信号に変換される。撮像素子４７は、撮像素子駆動パルス発生回路３８から発生されるＡフィールド読み出し制御パルス４１、Ｂフィールド読み出し制御パルス４２、電荷転送パルス４３によって制御され、変換された電気信号を読み出す。このとき、撮像素子１からの読み出しは、画素混合読み出しを行なわず、各画素信号をそのまま読み出すようにして、Ａ／Ｄ変換器２に出力する。Ａ／Ｄ変換器２に入力されたアナログ信号は、ディジタル信号に変換され出力される。メモリコントロ−ル回路３７は、Ａ／Ｄ変換器２の出力する信号Ｇ，Ｍgを、Ａフィ−ルド（あるいはＢフィールド）ではフィ−ルドメモリ３３へ記憶し、Ｂフィ−ルド（あるいはＡフィールド）ではフィ−ルドメモリ３３から信号Ｇ，Ｍgを出力するように制御する。Ａ／Ｄ変換器２から出力された信号Ｙeと信号Ｃyは、信号処理回路３９へ直接入力される第１のライン信号と、入力を１水平走査期間遅延させる１Ｈ遅延回路３４に入力され１水平走査期間（１Ｈ）分遅延して出力される第２のライン信号の２ライン信号とされる。他方、フィールドメモリ３３から１フィールド分遅延して読み出された信号Ｇ，Ｍgは、信号処理回路３９へ直接入力される第３のライン信号と、１Ｈ遅延回路３５に入力され１水平走査期間分遅延して信号処理回路３９へ出力される第４のライン信号と、この第４のライン信号をさらに１Ｈ遅延回路３６に入力してさらに１水平走査期間分遅延して信号処理回路３９へ出力される第５のライン信号との３ライン信号とされる。信号処理回路３９は、入力されたライン信号を輝度信号および色差信号に変換する。
【００４０】
以上の構成を有する本実施例では、アイリス制御回路４０は、Ａフィールド（あるいはＢフィールド）ではシャッタ３２を開き、Ｂフィールド（あるいはＡフィールド）ではシャッタ３２を閉じ、１フィールド毎にシャッタ３２が開閉を繰り返すシャッタ開閉信号を出力してシャッタの開閉を制御する。撮像素子駆動パルス発生回路３８は、Ａフィールド（あるいはＢフィールド）で蓄えた電荷をレジスタにシフトするシフトパルス４１〜４３を２フィールド毎に出力する。
【００４１】
このように制御された撮像装置１は、図６に示すようにＡフィールドおよびＢフィールドとも画素混合しないで各画素信号を出力する。Ａフィールド（あるいはＢフィールド）で撮像装置１の出力する信号Ｙe，Ｃyはフィールドメモリ３３に記憶され、Ｂフィールド（あるいはＡフィールド）で出力される。そして、Ｂフィールド（あるいはＡフィールド）で、撮像装置１の出力する第１のライン信号Ｙe，Ｃyと、撮像装置１の出力する信号を１Ｈ遅延回路３４で１Ｈ遅延した第２のライン信号Ｃy，Ｙeと、フィールドメモリ３３の出力する第３のライン信号Ｇ，Ｍｇと、フィールドメモリ３３の出力する信号を１Ｈ遅延した第４のライン信号Ｍｇ，Ｇと、フィールドメモリ３３の出力する信号を２Ｈ遅延した第５のライン信号Ｇ，Ｍｇとを同時化して、信号処理回路３９に出力する。
【００４２】
信号処理回路３９は、入力される５ラインの信号からフィールドメモリ３３の出力する信号を１Ｈ遅延した信号を補間して、輝度信号および色差信号を生成する。信号処理回路３９における補間方法について図１１を用いて説明する。同図において、各枠は例えばそれぞれ１つの画素を表している。まず、Ｓ1ラインは、Ａ1，Ｂ1，Ａ2，Ｂ2，Ａ3ラインを用いて補間する。Ａ2ラインには、Ｙe，Ｃyの画素がないのでＢ1ラインおよびＢ2ラインを用いて補間する。また、Ｇ、Ｍｇについては、Ａ2ラインの信号を中心に重みを付けてＡ1、Ａ3ラインから補間する。したがって、この補間式は、下記（７）式〜（１０）式で示される。
【００４３】
【数３】
0003658430.tif 000004
【００４４】
次に、Ｓ2ラインはＡ2，Ｂ2，Ａ3，Ｂ3，Ａ4ラインを用いて補間する。Ｓ2ラインではＳ1ラインに較べてＧ、Ｍgの画素配置がライン毎に入れ替わっていることを考慮して、下記（１１）〜（１４）式を用いて補間生成される。
【００４５】
【数４】
0003658430.tif 000005
【００４６】
このように、２ライン毎に補間係数を切り換えることによって、ライン信号を順次補間生成することができる。本実施例では、水平列信号５ラインを同時化して生成した１例であり、特に水平列信号５ラインにこだわるものではない。また、上式の補間係数は、水平列信号５ラインから補間生成する係数の１例であり、特に本係数にこだわるものではない。そして、上記説明により補間生成された撮像信号は輝度マトリックス処理、エンハンサ処理、ガンマ補正、ＲＧＢマトリックス処理、ホワイトバランス補正等の公知の処理を施して、輝度信号および色差信号を出力する。
【００４７】
以上述べたように、本実施例によれば、水平列信号５ラインから撮像装置１の出力する信号に重みを付けて補間生成するので、垂直方向でのフィルタ特性も水平方向と同様２タップ、３タップ特性となり、水平方向、垂直方向での補間特性の揃った信号処理回路を実現できる。したがって、従来方法に比べて色モアレを低減することができる。
【００４８】
図１２は、本発明の第６の実施例を示すブロック図である。この実施例は、第５の実施例で用いた信号処理回路３９の後に圧縮符号化に用いられるフォーマットへデータを変換するデータ変換回路４５を具備したものであり、上記第５の実施例で述べたように動作し、圧縮符号化に用いられるフォーマットに用いる輝度信号および色差信号を出力する。本実施例では、データ変換回路４５を輝度信号および色差信号を生成した後に設けた例であるが、データ変換回路４５を配置する位置は特にこの位置にこだわるものではない。例えば、撮像部４７の出力の後に設けても効果は同じである。本実施例によれば、光信号から圧縮符号化に用いられる中間フォーマットの輝度信号および色差信号を生成することができる。
【００４９】
【発明の効果】
以上のように、本発明によれば、１秒間に２ｎフレ−ムの標準カラー映像信号から１秒間にｎフレ−ムの輝度信号および色差信号を生成する画像信号処理装置において、色モアレを低減することができる。
【図面の簡単な説明】
【図１】本発明の第１の実施形態のブロック図。
【図２】輝度信号フィ−ルド間引き、色差信号２フィ−ルド加算平均を示す図。
【図３】本発明の第２の実施形態のブロック図。
【図４】輝度信号、色差信号２フィ−ルド加算平均を示す図。
【図５】本発明の第１の実施例のブロック図。
【図６】本発明の第２の実施例のブロック図。
【図７】本発明の第３の実施例のブロック図。
【図８】本発明の第４の実施例のブロック図。
【図９】本発明の第５の実施例のブロック図。
【図１０】撮像装置の色フィルタ配置を示す図。
【図１１】水平列信号５ラインから各補色を生成する補間方法の説明図。
【図１２】本発明の第６の実施例のブロック図。
【符号の説明】
１  撮像装置
２  Ａ／Ｄコンバ−タ
４，３７  メモリコントロ−ル回路
５，２２，２３，３３  フィ−ルドメモリ
６；２４，２５  加算器
７，２６，２７  除算器
９，１０，２８，２９  フィ−ルド間引き回路
２１  メモリコントロ−ル回路
３１  レンズ
３２  シャッタ
３４，３５，３６  １Ｈ遅延回路
３８  駆動パルス発生回路
３９  信号処理回路
４０  アイリス制御回路
４１  Ａフィ−ルド読み出し制御パルス
４２  Ｂフィ−ルド読み出し制御パルス
４３  電荷転送パルス
４４  シャッタ開閉パルス
４５  データ変換回路
４６  Ｙ／Ｃ分離回路
４７  撮像部
８０，８１  色差信号処理回路
９０，９１  輝度信号処理回路
１００，１０１，１０２  画像信号処理回路
【図１】
0003658430.tif 000006
【図２】
0003658430.tif 000007
【図３】
0003658430.tif 000008
【図４】
0003658430.tif 000009
【図５】
0003658430.tif 000010
【図６】
0003658430.tif 000011
【図７】
0003658430.tif 000012
【図８】
0003658430.tif 000013
【図９】
0003658430.tif 000014
【図１０】
0003658430.tif 000015
【図１１】
0003658430.tif 000016
【図１２】
0003658430.tif 000017